【手続補正書】
【提出日】平成16年11月8日(2004.11.8)
【手続補正１】
【補正対象書類名】明細書
【補正対象項目名】発明の名称
【補正方法】変更
【補正の内容】
【発明の名称】液晶表示装置並びにそれを備えた携帯電話、ノート型パーソナルコンピュータ、デジタルスチルカメラ、カーナビゲーションシステム、及び情報処理装置
【手続補正２】
【補正対象書類名】明細書
【補正対象項目名】特許請求の範囲
【補正方法】変更
【補正の内容】
【特許請求の範囲】
【請求項１】
画素に薄膜トランジスタが設けられ、
バックライトに発光ダイオードを用いることを特徴とする液晶表示装置。
【請求項２】
ガラス基板上に、画素と、周辺駆動回路と、が設けられ、
前記画素は、薄膜トランジスタを有し、
バックライトに発光ダイオードを用いることを特徴とする液晶表示装置。
【請求項３】
ガラス基板上に、画素と、周辺駆動回路と、ＩＣチップと、が設けられ、
前記画素は、薄膜トランジスタを有し、
バックライトに発光ダイオードを用いることを特徴とする液晶表示装置。
【請求項４】
ガラス基板上に、画素と、周辺駆動回路と、ＩＣチップと、が設けられ、
前記画素は、直列に接続された２つの薄膜トランジスタを有し、
バックライトに発光ダイオードを用いることを特徴とする液晶表示装置。
【請求項５】
請求項１乃至請求項４のいずれか１項において、前記バックライトは、前記発光ダイオードとして赤、青、緑の三色の発光ダイオード用い、前記三色の発光ダイオードの出射光を混色して白色光とすることで照明することを特徴とする液晶表示装置。
【請求項６】
画素に薄膜トランジスタが設けられ、
バックライトに発光ダイオードを用いる液晶表示装置を備えることを特徴とする携帯電話。
【請求項７】
ガラス基板上に、画素と、周辺駆動回路と、が設けられ、
前記画素は、薄膜トランジスタを有し、
バックライトに発光ダイオードを用いる液晶表示装置を備えることを特徴とする携帯電話。
【請求項８】
ガラス基板上に、画素と、周辺駆動回路と、ＩＣチップと、が設けられ、
前記画素は、薄膜トランジスタを有し、
バックライトに発光ダイオードを用いる液晶表示装置を備えることを特徴とする携帯電話。
【請求項９】
ガラス基板上に、画素と、周辺駆動回路と、ＩＣチップと、が設けられ、
前記画素は、直列に接続された２つの薄膜トランジスタを有し、
バックライトに発光ダイオードを用いる液晶表示装置を備えることを特徴とする携帯電話。
【請求項１０】
請求項６乃至請求項９のいずれか１項において、前記バックライトは、前記発光ダイオードとして赤、青、緑の三色の発光ダイオード用い、前記三色の発光ダイオードの出射光を混色して白色光とすることで照明することを特徴とする携帯電話。
【請求項１１】
画素に薄膜トランジスタが設けられ、
バックライトに発光ダイオードを用いる液晶表示装置を備えることを特徴とするノート型パーソナルコンピュータ。
【請求項１２】
ガラス基板上に、画素と、周辺駆動回路と、が設けられ、
前記画素は、薄膜トランジスタを有し、
バックライトに発光ダイオードを用いる液晶表示装置を備えることを特徴とするノート型パーソナルコンピュータ。
【請求項１３】
ガラス基板上に、画素と、周辺駆動回路と、ＩＣチップと、が設けられ、
前記画素は、薄膜トランジスタを有し、
バックライトに発光ダイオードを用いる液晶表示装置を備えることを特徴とするノート型パーソナルコンピュータ。
【請求項１４】
ガラス基板上に、画素と、周辺駆動回路と、ＩＣチップと、が設けられ、
前記画素は、直列に接続された２つの薄膜トランジスタを有し、
バックライトに発光ダイオードを用いる液晶表示装置を備えることを特徴とするノート型パーソナルコンピュータ。
【請求項１５】
請求項１１乃至請求項１４のいずれか１項において、前記バックライトは、前記発光ダイオードとして赤、青、緑の三色の発光ダイオード用い、前記三色の発光ダイオードの出射光を混色して白色光とすることで照明することを特徴とするノート型パーソナルコンピュータ。
【請求項１６】
画素に薄膜トランジスタが設けられ、
バックライトに発光ダイオードを用いる液晶表示装置を備えることを特徴とするデジタルスチルカメラ。
【請求項１７】
ガラス基板上に、画素と、周辺駆動回路と、が設けられ、
前記画素は、薄膜トランジスタを有し、
バックライトに発光ダイオードを用いる液晶表示装置を備えることを特徴とするデジタルスチルカメラ。
【請求項１８】
ガラス基板上に、画素と、周辺駆動回路と、ＩＣチップと、が設けられ、
前記画素は、薄膜トランジスタを有し、
バックライトに発光ダイオードを用いる液晶表示装置を備えることを特徴とするデジタルスチルカメラ。
【請求項１９】
ガラス基板上に、画素と、周辺駆動回路と、ＩＣチップと、が設けられ、
前記画素は、直列に接続された２つの薄膜トランジスタを有し、
バックライトに発光ダイオードを用いる液晶表示装置を備えることを特徴とするデジタルスチルカメラ。
【請求項２０】
請求項１６乃至請求項１９のいずれか１項において、前記バックライトは、前記発光ダイオードとして赤、青、緑の三色の発光ダイオード用い、前記三色の発光ダイオードの出射光を混色して白色光とすることで照明することを特徴とするデジタルスチルカメラ。
【請求項２１】
画素に薄膜トランジスタが設けられ、
バックライトに発光ダイオードを用いる液晶表示装置を備えることを特徴とするカーナビゲーションシステム。
【請求項２２】
ガラス基板上に、画素と、周辺駆動回路と、が設けられ、
前記画素は、薄膜トランジスタを有し、
バックライトに発光ダイオードを用いる液晶表示装置を備えることを特徴とするカーナビゲーションシステム。
【請求項２３】
ガラス基板上に、画素と、周辺駆動回路と、ＩＣチップと、が設けられ、
前記画素は、薄膜トランジスタを有し、
バックライトに発光ダイオードを用いる液晶表示装置を備えることを特徴とするカーナビゲーションシステム。
【請求項２４】
ガラス基板上に、画素と、周辺駆動回路と、ＩＣチップと、が設けられ、
前記画素は、直列に接続された２つの薄膜トランジスタを有し、
バックライトに発光ダイオードを用いる液晶表示装置を備えることを特徴とするカーナビゲーションシステム。
【請求項２５】
請求項２１乃至請求項２４のいずれか１項において、前記バックライトは、前記発光ダイオードとして赤、青、緑の三色の発光ダイオード用い、前記三色の発光ダイオードの出射光を混色して白色光とすることで照明することを特徴とするカーナビゲーションシステム。
【請求項２６】
画素に薄膜トランジスタが設けられ、
バックライトに発光ダイオードを用いる液晶表示装置を備えることを特徴とする情報処理装置。
【請求項２７】
ガラス基板上に、画素と、周辺駆動回路と、が設けられ、
前記画素は、薄膜トランジスタを有し、
バックライトに発光ダイオードを用いる液晶表示装置を備えることを特徴とする情報処理装置。
【請求項２８】
ガラス基板上に、画素と、周辺駆動回路と、ＩＣチップと、が設けられ、
前記画素は、薄膜トランジスタを有し、
バックライトに発光ダイオードを用いる液晶表示装置を備えることを特徴とする情報処理装置。
【請求項２９】
ガラス基板上に、画素と、周辺駆動回路と、ＩＣチップと、が設けられ、
前記画素は、直列に接続された２つの薄膜トランジスタを有し、
バックライトに発光ダイオードを用いる液晶表示装置を備えることを特徴とする情報処理装置。
【請求項３０】
請求項２６乃至請求項２９のいずれか１項において、前記バックライトは、前記発光ダイオードとして赤、青、緑の三色の発光ダイオード用い、前記三色の発光ダイオードの出射光を混色して白色光とすることで照明することを特徴とする情報処理装置。
【手続補正３】
【補正対象書類名】明細書
【補正対象項目名】０００２
【補正方法】変更
【補正の内容】
【０００２】
本発明の電子機器は、ノート型やラップトップ型のパーソナルコンピュータ、電子手帳、モバイルコンピュータ等の情報処理装置、ヘッドマウントディスプレイ、ビデオカメラ、デジタルスチルカメラ、カーナビゲーションシステム、携帯電話等が挙げられる。
【手続補正４】
【補正対象書類名】明細書
【補正対象項目名】０００３
【補正方法】変更
【補正の内容】
【０００３】
近年、液晶パネルの製造技術に関して鋭意研究・開発がなされ、液晶パネルを比較的安価に提供できるようになったこと、更にインターネットや電子メール等の情報化社会の進展により、ノート型パーソナルコンピュータ（以下、ノート型ＰＣと略記する）が急激に普及した。
【手続補正５】
【補正対象書類名】明細書
【補正対象項目名】０００６
【補正方法】変更
【補正の内容】
【０００６】
ノート型ＰＣやデジタルカメラ等は、インターネットのホームページをカラー表示したり、色の再現性等、表示品位が重視されるため、これら電子機器に搭載する液晶パネルは透過型にする必要がある。
【手続補正６】
【補正対象書類名】明細書
【補正対象項目名】００１６
【補正方法】変更
【補正の内容】
【００１６】
図１（Ａ）は液晶表示装置２１の主要部の分解斜視図であり、透過型液晶パネル１０の背後には、散乱板１１、ＬＥＤ光源１２が順次に配置されている。
【手続補正７】
【補正対象書類名】明細書
【補正対象項目名】００１７
【補正方法】変更
【補正の内容】
【００１７】
上述した透過型液晶パネル１０の照明光源として、ＬＥＤ光源１２を用いる。ＬＥＤ光源１２は基板１４にＬＥＤランプ１３が２次元的に配列されている。本実施形態では、図１（Ｂ）に示すように、赤色ＬＥＤランプ１３Ｒ、緑色ＬＥＤランプ１３Ｇ、青色ＬＥＤランプ１３Ｂの３色のＬＥＤランプを用いる。図１（Ｂ）はＬＥＤ光源１２の部分的な上面図であり、基板１４上のＬＥＤランプ１３の配置を示す。３色のＬＥＤランプ１３Ｒ、１３Ｇ、１３Ｂはデルタ（Δ）状に配置することで、ＬＥＤランプ１３Ｒ、１３Ｇ、１３Ｂを基板１４上に平均的に分散する。
【手続補正８】
【補正対象書類名】明細書
【補正対象項目名】００１９
【補正方法】変更
【補正の内容】
【００１９】
図３に液晶パネル１０の構成概略を示す。アクティブマトリクス基板は、ガラス基板１００上に形成された、画素マトリクス回路１０１、走査線駆動回路１０２、信号線駆動回路１０３で構成される。走査線駆動回路１０２、信号線駆動回路１０３はそれぞれ走査線１２１、信号線１２２によって画素マトリクス回路１０１に接続され、これら駆動回路１０２、１０３は、ＣＭＯＳ回路で主に構成されている。
【手続補正９】
【補正対象書類名】明細書
【補正対象項目名】００２０
【補正方法】変更
【補正の内容】
【００２０】
走査線１２１は画素マトリクス回路１０１の行ごとに形成され、信号線１２２は列ごとに形成されている。走査線１２１、信号線１２２の交差部近傍には、各配線１２１、１２２に接続された画素ＴＦＴ１１０が形成されている。画素ＴＦＴ１１０には、画素電極１１１、付加容量１１２が接続されている。
【手続補正１０】
【補正対象書類名】明細書
【補正対象項目名】００２３
【補正方法】変更
【補正の内容】
【００２３】
アクティブマトリクス基板には、ＦＰＣ１３０を取り付ける面を利用してＩＣチップ１３１、１３２が取り付けられている。これらのＩＣチップはビデオ信号の処理回路、タイミングパルス発生回路、γ補正回路、メモリ回路、演算回路等の回路が形成されている。図３ではＩＣチップを２個取り付けたが、１個でも良いし、３個以上であっても良い。
【手続補正１１】
【補正対象書類名】明細書
【補正対象項目名】００３２
【補正方法】変更
【補正の内容】
【００３２】
図４（Ａ）は本実施形態の液晶表示装置２１の主要部の構成図であり、反射型液晶パネル３０の対向する側面には、ＬＥＤ光源３１が配置されている。ＬＥＤ光源３１によって、反射型液晶パネル３０を照明することにより、暗い場所でも表示を見ることができる。
【手続補正１２】
【補正対象書類名】明細書
【補正対象項目名】００３３
【補正方法】変更
【補正の内容】
【００３３】
図４（Ｂ）〜（Ｄ）を用いて、ＬＥＤ光源３１の構成を説明する。図４（Ｂ）、（Ｃ）に示すように、ＬＥＤ光源３１は１次元的に配列されたＬＥＤランプ３３と、ＬＥＤランプ３３の背後に配置された反射板３４とを有する。
【手続補正１３】
【補正対象書類名】明細書
【補正対象項目名】００３７
【補正方法】変更
【補正の内容】
【００３７】
対向基板側のガラス基板５０の背面には三角波状の傾斜面５１ａが形成され、他面にカラーフィルタ、対向電極が形成されている。
【手続補正１４】
【補正対象書類名】明細書
【補正対象項目名】００３８
【補正方法】変更
【補正の内容】
【００３８】
暗いところで反射型液晶パネル３０の画像を確認する場合には、ＬＥＤ光源３１のＬＥＤランプ３３を点灯させる。ＬＥＤランプ３３の赤、青、緑の３色のＬＥＤチップ３３Ｒ、３３Ｇ、３３Ｂに電圧が印加され発光する。ＬＥＤチップ３３Ｒ、３３Ｇ、３３Ｂで発光した赤、青、緑の３色の光は樹脂３３ａで無秩序に散乱されることで混色され、白色光LWとしてＬＥＤランプ３３から出射する。
【手続補正１５】
【補正対象書類名】明細書
【補正対象項目名】００３９
【補正方法】変更
【補正の内容】
【００３９】
ＬＥＤランプ３３から直接出射した、又は反射板３４で反射された白色光LWは、対向基板側のガラス基板５０の側面から入射する。ガラス基板５０の背面に斜面５１ａを形成したため、白色光LWは矢印で示すように反射を繰り返しながらガラス基板５０内を伝搬する。そして伝搬しつつ、白色光LWはパネル３０内部に入射する。入射した光は反射電極４３で反射されて、ガラス基板５０を透過して液晶パネルを出射する。ガラス基板５０を透過した反射光LRは液晶通過することにより変調されており、ＰＣの使用者にカラー映像として知覚される。
【手続補正１６】
【補正対象書類名】明細書
【補正対象項目名】００４０
【補正方法】変更
【補正の内容】
【００４０】
なお、白色光LWが効率良くガラス基板５０に入射されるように、図５（Ａ）に示すように、シリンドリカルレンズのようなレンズ７０によって集光して液晶パネル３０に入射させるようにしてもよい。
【手続補正１７】
【補正対象書類名】明細書
【補正対象項目名】００４１
【補正方法】変更
【補正の内容】
【００４１】
また、ＬＥＤ光源３１を液晶パネル３０に水平に配置する代わりに、図５（Ｂ）に示すように、斜め上方に配置して、ガラス基板５０背面（傾斜面５１ａが形成されている面）から白色光LWを入射させるようにしてもよい。この場合も、図５（Ａ）のように、レンズ７０を設けてもよい。
【手続補正１８】
【補正対象書類名】明細書
【補正対象項目名】００４６
【補正方法】変更
【補正の内容】
【００４６】
［実施形態５］  実施形態１〜４では電子機器としてノート型ＰＣの例を示した。本発明は他の直視型の液晶パネルを搭載した電子機器に応用可能である。そのような電子機器としては、ヘッドマウントディスプレイ、ビデオカメラ、デジタルスチルカメラ、カーナビゲーションシステム、携帯電話、電子手帳、モバイルコンピュータ等の情報処理装置等が挙げられる。それらの一例を図７に示す。
【手続補正１９】
【補正対象書類名】明細書
【補正対象項目名】００５１
【補正方法】変更
【補正の内容】
【００５１】
図７（Ｅ）は携帯書籍であり、本体２５０１、液晶表示装置２５０３、記憶媒体２５０４、操作スイッチ２５０５、アンテナ２５０６で構成されており、ミニディスク（ＭＤ）やＤＶＤに記憶されたデータや、アンテナで受信したデータを表示するものである。本発明は液晶表示装置２５０３に適用される。
【手続補正２０】
【補正対象書類名】図面
【補正対象項目名】図２
【補正方法】変更
【補正の内容】
【図２】
2000081848.tif 000001
【手続補正２１】
【補正対象書類名】図面
【補正対象項目名】図７
【補正方法】変更
【補正の内容】
【図７】
2000081848.tif 000002